(57)【要約】  患者のＥＦＬを検出するシステムが提供される。システムは、吸気経路；呼気経路；呼気経路を通る呼気の流量−容積情報を測定するセンサー；呼気経路に配置され、呼気経路における呼気抵抗を提供するように調整可能な流量抵抗器；及びコンピュータ・システムを有する。一実施形態において、コンピュータ・システムの１つ以上の物理的なプロセッサは、コンピュータ・プログラム命令によりプログラムされており、命令は実行されると：基準呼気抵抗が呼気経路において流量抵抗器により提供されている場合に、呼気経路を通る呼気の流量−容積情報を利用して、基準呼気流量−容積曲線を決定するステップ；及び下げられた呼気抵抗が呼気経路において流量抵抗器により提供されている場合に、呼気経路を通る呼気の流量−容積情報を利用して、摂動した呼気流量−容積曲線を決定するステップをコンピュータ・システムに実行させる。
2021508529.tif 000002
【特許請求の範囲】
【請求項１】
患者の呼気流量制限（ＥＦＬ）を検出するシステムであって：
前記患者に吸気をもたらす吸気経路；
前記患者から呼気を取り出す呼気経路；
前記呼気経路を通る前記呼気の流量−容積情報を測定するセンサー；
前記呼気経路に配置され、前記呼気経路における呼気抵抗を提供するように調整可能な流量抵抗器；及び
前記センサー及び前記流量抵抗器に動作可能に接続される１つ以上の物理的なプロセッサを有するコンピュータ・システム；
を有し、前記１つ以上の物理的なプロセッサは、コンピュータ・プログラム命令によりプログラムされており、命令は実行されると：  
基準呼気抵抗が前記呼気経路において前記流量抵抗器により提供されている場合に、前記呼気経路を通る前記呼気の流量−容積情報を利用して、基準呼気流量−容積曲線を決定するステップ；
前記呼気抵抗を前記基準呼気抵抗よりも下げるように、前記流量抵抗器を調整するステップ；
下げられた前記呼気抵抗が前記呼気経路において前記流量抵抗器により提供されている場合に、前記呼気経路を通る前記呼気の流量−容積情報を利用して、摂動した呼気流量−容積曲線を決定するステップ；及び
（ｉ）前記決定された摂動した呼気流量−容積曲線及び（ｉｉ）決定された基準呼気流量−容積曲線に基づいて、前記患者の前記呼気流量制限（ＥＦＬ）を検出するステップ；
を前記コンピュータ・システムに行わせる、システム。
【請求項２】
前記コンピュータ・システムは、前記決定された摂動した呼気流量−容積曲線を、前記決定された基準呼気流量−容積曲線と比較することにより、前記患者の前記呼気流量制限（ＥＦＬ）を検出する、請求項１に記載のシステム。
【請求項３】
前記基準呼気流量−容積曲線は、１つ以上の基準呼吸の間に前記呼気経路を通る前記呼気の前記流量−容積情報を利用して決定され、前記１つ以上の基準呼吸では、前記基準呼気抵抗が前記呼気経路において前記流量抵抗器により提供されており、
前記摂動した呼気流量−容積曲線は、摂動呼吸の前記呼気経路を通る前記呼気の前記流量−容積情報を利用して決定され、前記摂動呼吸では、下げられた前記呼気抵抗が前記呼気経路において前記流量抵抗器により提供されており、及び
前記１つ以上の基準呼吸は前記摂動呼吸に先行している、請求項２に記載のシステム。
【請求項４】
前記コンピュータ・システムは、前記ＥＦＬを廃止するために、前記ＥＦＬの検出時に呼気気道圧を自動的に増加又は減少させる、請求項１に記載のシステム。
【請求項５】
前記比較することは、前記１つ以上の基準呼吸に対する呼気流量−容積曲線を、前記１つ以上の摂動呼吸に対する呼気流量−容積曲線と比較することを含む、請求項３に記載のシステム。
【請求項６】
患者の呼気流量制限（ＥＦＬ）を検出する方法あって、コンピュータ・プログラム命令を実行する１つ以上の物理的なプロセッサを有するコンピュータ・システムにより実行され、前記方法は：
呼気経路を通る呼気の流量−容積情報を、１つ以上のセンサーから取得するステップ；
基準呼気抵抗が前記呼気経路において流量抵抗器により提供されている場合に、前記呼気経路を通る前記呼気の流量−容積情報を利用して、基準呼気流量−容積曲線を、前記コンピュータ・システムにより決定するステップ；
前記呼気抵抗を前記基準呼気抵抗よりも下げるように、前記流量抵抗器を調整するステップ；
下げられた前記呼気抵抗が前記呼気経路において前記流量抵抗器により提供されている場合に、前記呼気経路を通る前記呼気の流量−容積情報を利用して、摂動した呼気流量−容積曲線を、前記コンピュータ・システムにより決定するステップ；及び
（ｉ）前記決定された摂動した呼気流量−容積曲線及び（ｉｉ）決定された基準呼気流量−容積曲線に基づいて、前記患者の前記呼気流量制限（ＥＦＬ）を、前記コンピュータ・システムにより検出するステップ；
を有する方法。
【請求項７】
前記患者の前記呼気流量制限（ＥＦＬ）を検出するステップは、前記決定された摂動した呼気流量−容積曲線を、前記決定された基準呼気流量−容積曲線と比較するステップを含む、請求項６に記載の方法。
【請求項８】
前記基準呼気流量−容積曲線は、１つ以上の基準呼吸の間に前記呼気経路を通る前記呼気の前記流量−容積情報を利用して決定され、前記１つ以上の基準呼吸では、前記基準呼気抵抗が前記呼気経路において前記流量抵抗器により提供されており、
前記摂動した呼気流量−容積曲線は、摂動呼吸の前記呼気経路を通る前記呼気の前記流量−容積情報を利用して決定され、前記摂動呼吸では、下げられた前記呼気抵抗が前記呼気経路において前記流量抵抗器により提供されており、及び
前記１つ以上の基準呼吸は前記摂動呼吸に先行している、請求項７に記載の方法。
【請求項９】
前記コンピュータ・システムは、前記ＥＦＬを廃止するために、前記ＥＦＬの検出時に呼気気道圧を自動的に増加又は減少させる、請求項６に記載の方法。
【請求項１０】
前記比較することは、前記１つ以上の基準呼吸に対する呼気流量−容積曲線を、前記１つ以上の摂動呼吸に対する呼気流量−容積曲線と比較することを含む、請求項７に記載の方法。
【請求項１１】
患者の呼気流量制限（ＥＦＬ）を検出するシステムであって：
機械読み取り可能な命令を少なくとも１つの物理的なプロセッサで実行する手段を有し、前記機械読み取り可能な命令は：
呼気経路を通る呼気の流量−容積情報を、１つ以上のセンサーから取得するステップ；
基準呼気抵抗が前記呼気経路において流量抵抗器により提供されている場合に、前記呼気経路を通る前記呼気の流量−容積情報を利用して、基準呼気流量−容積曲線を決定するステップ；
前記呼気抵抗を前記基準呼気抵抗よりも下げるように、前記流量抵抗器を調整するステップ；
下げられた前記呼気抵抗が前記呼気経路において前記流量抵抗器により提供されている場合に、前記呼気経路を通る前記呼気の流量−容積情報を利用して、摂動した呼気流量−容積曲線を決定するステップ；及び
（ｉ）前記決定された摂動した呼気流量−容積曲線及び（ｉｉ）決定された基準呼気流量−容積曲線に基づいて、前記患者の前記呼気流量制限（ＥＦＬ）を検出するステップ；
を有する、システム。
【請求項１２】
前記患者の前記呼気流量制限（ＥＦＬ）を検出するステップは、前記決定された摂動した呼気流量−容積曲線を、前記決定された基準呼気流量−容積曲線と比較するステップを含む、請求項１１に記載のシステム。
【請求項１３】
前記基準呼気流量−容積曲線は、１つ以上の基準呼吸の間に前記呼気経路を通る前記呼気の前記流量−容積情報を利用して決定され、前記１つ以上の基準呼吸では、前記基準呼気抵抗が前記呼気経路において前記流量抵抗器により提供されており、
前記摂動した呼気流量−容積曲線は、摂動呼吸の前記呼気経路を通る前記呼気の前記流量−容積情報を利用して決定され、前記摂動呼吸では、下げられた前記呼気抵抗が前記呼気経路において前記流量抵抗器により提供されており、及び
前記１つ以上の基準呼吸は前記摂動呼吸に先行している、請求項１２に記載のシステム。
【請求項１４】
前記機械読み取り可能な命令は、前記ＥＦＬを廃止するために、前記ＥＦＬの検出時に呼気気道圧を自動的に増加又は減少させるステップを更に含む、請求項１１に記載のシステム。
【請求項１５】
前記比較するステップは、前記１つ以上の基準呼吸に対する呼気流量−容積曲線を、１つ以上の摂動呼吸に対する呼気流量−容積曲線と比較するステップを含む、請求項１３に記載のシステム。
【発明の詳細な説明】
【背景技術】
【０００１】
関連技術
本特許出願は、２０１７年１２月２７日付で出願された米国仮出願第６２／６１０，７３６号のＵ．Ｓ．Ｃ．§１１９（ｅ）に基づく優先権を主張するものであり、その内容は参照により本明細書に組み込まれる。
【０００２】
１．技術分野
本開示は、患者の呼気流量制限（ＥＦＬ）を検出する方法及びシステムに関する。
【０００３】
２．関連技術の説明
慢性閉塞性肺疾患（ＣＯＰＤ）は公衆衛生上の問題である。これは米国における慢性的な罹病及び死亡の第４位の原因であり、２４００万人以上の米国人に影響を及ぼしている。これは、米国では心臓病及び癌に次いで第３位の主要な死因であり、２０２０年までには世界で第３位の死因になると予測されている。死亡率の増加は、世界的な高齢化と喫煙の流行によってもたらされている。
【０００４】
ＣＯＰＤは、肺気腫、慢性気管支炎、非可逆性喘息、ある形態の気管支拡張症などを含む進行性肺疾患を表すために使用される総称である。ＣＯＰＤは息切れの増加により特徴付けられる。ＣＯＰＤを患う患者は、肺組織の悪化又はそれらの気道壁の炎症に起因する呼気の困難性を有する可能性がある。この状態は一般に呼気流量制限（ＥＦＬ）と呼ばれ、生活の質に影響を及ぼし、最終的には急性呼吸不全の一因となる。一例として、呼気流量制限は、実質の破壊による弾力的反動性の喪失、又は何らかの他の形態の気道障害物に起因して人の気道が部分的に崩壊するという生理学的状態に関する。以下の文献に記載されているように、「ＥＦＬの定義は、経肺圧の更なる増加が呼気流量の更なる増加を引き起こさないことを意味する」Ｎ．Ｇ．Ｋｏｕｌｏｕｒｉｓ  ｅｔ  ａｌ．，“Ｍｅｔｈｏｄｓ  ｆｏｒ  ａｓｓｅｓｓｉｎｇ  ｅｘｐｉｒａｔｏｒｙ  ｆｌｏｗ  ｌｉｍｉｔａｔｉｏｎ  ｄｕｒｉｎｇ  ｔｉｄａｌ  ｂｒｅａｔｈｉｎｇ  ｉｎ  ＣＯＰＤ  ｐａｔｉｅｎｔｓ，”Ｐｕｌｍｏｎａｒｙ  Ｍｅｄｉｃｉｎｅ，ｖｏｌ．２０１２，ｄｏｉ：１０．１１５５／２０１２／２３４１４５．被験者の呼気流制限は、呼気努力の増加にもかかわらず、流量が増加しなくなったことを１つ以上のセンサーで検出することによって決定される。ＥＦＬの患者は、力によっては彼の流速を増加させることができず、しばしば総肺活量の方に向かって動的容積を増加させ、ＴＬＣ（動的過膨張）、筋肉疲労を引き起こす。また、ＥＦＬの患者は運動耐容能が低く、慢性的な呼吸困難があり、不健康で座りがちな生活様式となる。
【０００５】
ＥＦＬの一般的な治療は気道陽圧及び／又は薬剤の適用である。
【０００６】
ＩＣＵの患者では、ＥＦＬは手作業で検出される。臨床医／呼吸療法士は、呼気の開始時に患者の腹部に力を加える。即ち、医師は、呼気中に換気した患者を単に押圧し、流量に増加があるかどうかを判断するだけである。この力は、呼気流を駆り立てる肺と口との間の圧力差を増大させる。患者がＥＦＬを有するならば、呼気流は増加しない。この手作業の胸部圧迫法は、ｉ）患者の協力を必要とせず、ｉｉ）再現性に乏しく（手動操作）、ｉｉｉ）熟練者を必要とする。また、手作業の胸部圧迫法は、在宅の慢性患者には適用できない。
【０００７】
ＥＦＬの検出のための他の技術は、強制振動法（ＦＯＴ）及び陰性呼気圧（ＮＥＰ）法によるΔＸｒｓである。
【０００８】
例えば、ＮＥＰ法は、ｉ）患者の協力を必要とせず、ｉｉ）陰圧（又は少なくとも陽圧）を必要とし、ｉｉｉ）上気道アーチファクトを生じる可能性がある。ＦＯＴ法は、ｉ）患者の協力を必要とせず、ｉｉ）圧力振動の発生を必要とする。
【０００９】
更に、ＦＯＴ法及びＮＥＰ法は、スタンド・アローン・デバイスとして、及び多機能肺活量計一部として利用できる。ＥＯＴ及びＮＥＰ法は典型的には（人工呼吸器で）換気されていな患者に使用される。ＮＥＰ法は概念的には腹部への圧力の印加に類似している。これは、腹部圧迫による肺内圧の上昇を、口に適用される陰圧に置き換える。ＦＯＴ法によるΔＸｒｓは、ＥＦＬが発生したときの呼吸器系のリアクタンス変化を当てにしている。リアクタンスを「測定」するために、強制正弦波圧力信号が印加される。プライマリ・ケアでは、ＦＥＶ１（１秒間で強制される呼気容積）と、肺活量計から得られるＦＶＣ（機能的肺活量）との比が一般的に使用される。
【００１０】
従って、患者の呼気流量制限（ＥＦＬ）を検出するための改善されたシステム及び方法が必要とされる。
【発明の概要】
【００１１】
従って、本特許出願の１つ以上の実施形態の課題は、患者の呼気流量制限（ＥＦＬ）を検出するシステムを提供することである。システムは、患者に吸気をもたらす吸気経路；患者から呼気を取り出す呼気経路；呼気経路を通る呼気の流量−容積情報を測定するセンサー；呼気経路に配置され、呼気経路における呼気抵抗を提供するように調整可能な流量抵抗器；及びセンサー及び流量抵抗器に動作可能に接続される１つ以上の物理的なプロセッサを有するコンピュータ・システムを有する。一実施形態において、１つ以上の物理的なプロセッサは、コンピュータ・プログラム命令によりプログラムされており、命令は実行されると：基準呼気抵抗が呼気経路において流量抵抗器により提供されている場合に、呼気経路を通る呼気の流量−容積情報を利用して、基準呼気流量−容積曲線を決定するステップ；呼気抵抗を基準呼気抵抗よりも下げるように、流量抵抗器を調整するステップ；下げられた呼気抵抗が呼気経路において流量抵抗器により提供されている場合に、呼気経路を通る呼気の流量−容積情報を利用して、摂動した呼気流量−容積曲線を決定するステップ；及び（ｉ）決定された摂動した呼気流量−容積曲線及び（ｉｉ）決定された基準呼気流量−容積曲線に基づいて、患者のＥＦＬを検出するステップをコンピュータ・システムに行わせる。
【００１２】
本特許出願の１つ以上の更に別の側面は、患者の呼気流量制限（ＥＦＬ）を検出する方法を提供することである。方法は、実行されると方法を実行するコンピュータ・プログラム命令を実行する１つ以上の物理的なプロセッサを有するコンピュータ・システムにより実現される。方法は、呼気経路を通る呼気の流量−容積情報を、１つ以上のセンサーから取得するステップ；基準呼気抵抗が呼気経路において流量抵抗器により提供されている場合に、呼気経路を通る呼気の流量−容積情報を利用して、基準呼気流量−容積曲線を、コンピュータ・システムにより決定するステップ；呼気抵抗を基準呼気抵抗よりも下げるように、流量抵抗器を調整するステップ；下げられた呼気抵抗が呼気経路において流量抵抗器により提供されている場合に、呼気経路を通る呼気の流量−容積情報を利用して、摂動した呼気流量−容積曲線を、コンピュータ・システムにより決定するステップ；及び（ｉ）決定された摂動した呼気流量−容積曲線及び（ｉｉ）決定された基準呼気流量−容積曲線に基づいて、患者の呼気流量制限（ＥＦＬ）を、コンピュータ・システムにより検出するステップを有する。
【００１３】
１つ以上の実施形態の更に別の側面は、患者の呼気流量制限（ＥＦＬ）を検出するシステムを提供することである。システムは、機械読み取り可能な命令を少なくとも１つの物理的なプロセッサにより実行する手段を有する。機械読み取り可能な命令は、呼気経路を通る呼気の流量−容積情報を、１つ以上のセンサーから取得するステップ；基準呼気抵抗が呼気経路において流量抵抗器により提供されている場合に、呼気経路を通る呼気の流量−容積情報を利用して、基準呼気流量−容積曲線を決定するステップ；呼気抵抗を基準呼気抵抗よりも下げるように、流量抵抗器を調整するステップ；下げられた呼気抵抗が呼気経路において流量抵抗器により提供されている場合に、呼気経路を通る呼気の流量−容積情報を利用して、摂動した呼気流量−容積曲線を決定するステップ；及び（ｉ）決定された摂動した呼気流量−容積曲線及び（ｉｉ）決定された基準呼気流量−容積曲線に基づいて、患者の呼気流量制限（ＥＦＬ）を検出するステップを有する。
【００１４】
本特許出願のこれら及びその他の課題、性質、特徴、構造及びパーツの組み合わせの関連要素の動作方法及び機能、並びに製造の経済性は、以下の説明及び添付の特許請求の範囲を、添付図面を参照して考察することにより更に明らかになるであろう。ここで、同様の参照番号は、種々の図面において対応するパーツを示す。しかしながら、図面は、例示及び説明のみを目的としており、本特許出願の制限の定義として意図されてはいないことは、明確に理解されるべきである。
【図面の簡単な説明】
【００１５】
【図１】本特許出願の実施形態による患者の呼気流量制限（ＥＦＬ）を検出するための例示的なシステムである。
【００１６】
【図２】本特許出願の別の実施形態による患者のＥＦＬを検出するための例示的なシステムである。
【００１７】
【図３】本特許出願の別の実施形態による患者のＥＦＬを検出するための例示的なシステムである。
【００１８】
【図４】本特許出願の別の実施形態による患者のＥＦＬを検出するための例示的なシステムである。
【００１９】
【図５】本特許出願の実施形態による患者のＥＦＬを検出するためのシステムにおいて選択された呼吸における例示的な呼気抵抗の低下示すグラフを示す。
【００２０】
【図６】本特許出願の一実施形態による患者のＥＦＬを検出するためのシステムから得られた摂動した呼吸流量−容積曲線と基準呼吸流量−容積曲線との間の例示的な流量比較を示す。
【００２１】
【図７】本特許出願の実施形態に従う、患者のＥＦＬを検出するシステムにおける呼気抵抗の低減による例示的なＥＦＬ検出と、同一システムを用いてＥＦＬを廃止するための対応する処置とを示す。
【００２２】
【図８】患者のＥＦＬを検出するための例示的な方法、及び本特許出願の実施形態によるＥＦＬの対応する廃止を示す。
【発明を実施するための形態】
【００２３】
本明細書で使用される場合、「ある（“ａ”，“ａｎ”）」及び「その（ｔｈｅ）」という単独の形式は、文脈上明示的に別意を示さない限り、複数の参照を含む。本明細書で使用される場合、２つ以上のパーツ又はコンポーネントが「連結される」という表現は、パーツが直接的又は間接的に、即ちリンクが生じる限り、１つ以上の中間的なパーツ又はコンポーネントを通じて連結されている、又は一緒に動作することを意味するものとする。本明細書で使用される場合、「直接的に結合される」は、２つの要素が互いに直接的に接触していることを意味する。本明細書で使用される場合、「固定的に結合される」又は「固定される」とは、２つのコンポーネントが、互いに対して一定の方向を保ちつつ、１つのものとして動くように結合されることを意味する。本明細書で使用される場合、「又は」という用語は、文脈上明らかに別意を示さない限り、「及び／又は」を意味する。
【００２４】
本明細書で使用され場合、「単一の」という言葉は、コンポーネントが単一の部品又はユニットとして作成されることを意味する。即ち、別々に作成され、その後ユニットとして一緒に結合される部品を含むコンポーネントは、「単一の」コンポーネント又は本体ではない。本明細書で使用される場合、２つ以上のパーツ又はコンポーネント品が互いに「係合」するという表現は、パーツが直接的に、又は１つ以上の中間的なパーツ又はコンポーネントを通じて、互いに力を作用させることを意味するものとする。本明細書で使用され場合、「数（又は個）」という用語は、１つ又は１つより大きな整数（即ち、複数）を意味するものとする。
【００２５】
本明細書で使用される方向性の語句（例えば、上、下、左、右、上位、下位、前、後、及びそれらの派生語であるが、これらに限定されない）は、図面に示される要素の向きに関連しており、明示的に記載されない限り、特許請求の範囲に関する限定ではない。
【００２６】
本特許出願は、患者の呼気流量制限（ＥＦＬ）を検出するシステム１００を提供する。システム１００は、患者に吸気をもたらす吸入通路１０４と、患者から出る呼気を取り出す呼気通路１０８と、呼気通路１０８を通る呼気の流量情報を測定するセンサー１０６と、呼気通路１０８に配置され、呼気通路１０８において呼気抵抗を提供するように調整可能な流量抵抗器１１０と、センサー１０６及び流量抵抗器１１０と動作可能に接続される１つ以上の物理的なプロセッサを備えるコンピュータ・システム１０２とを備える。
【００２７】
一実施形態において、コンピュータ・システム１０２の１つ以上の物理的なプロセッサは、コンピュータ・プログラム命令によりプログラムされており、命令は実行されると：基準呼気抵抗が呼気経路において流量抵抗器１１０により提供されている場合に、呼気経路１０８を通る呼気の流量−容積情報を利用して、基準呼気流量−容積曲線を決定するステップ；呼気抵抗を基準呼気抵抗よりも下げるように、流量抵抗器１１０を調整するステップ；下げられた呼気抵抗が呼気経路において流量抵抗器１１０により提供されている場合に、呼気経路１０８を通る呼気の流量−容積情報を利用して、摂動した呼気流量−容積曲線を決定するステップ；及びｉ）決定された摂動した呼気流量−容積曲線及びｉｉ）決定された基準呼気流量−容積曲線に基づいて、患者の呼気流量制限（ＥＦＬ）を検出するステップをコンピュータ・システム１０２に行わせる。
【００２８】
一実施形態では、システム１００は、呼気経路１０８に配置された流量抵抗器１１０の自動調整により呼気流量制限の検出を容易にするように構成されている。一実施形態では、ＣＯＰＤ患者におけるＥＦＬの存在を検出するために専用に設計された、携帯式で低コストな最先端の肺機能測定機器／システム１００が、本特許出願で開示される。一実施形態では、システム１００は、図１に示すように、空気圧回路（ａ  ｐｎｅｕｍａｔｉｃ  ｃｉｒｃｕｉｔ）及び装置／システム１００を含む。一実施形態では、システム１００は、図３に示すような空気圧回路を含む。一実施形態では、システム１００は、図４に示すような空気圧回路を含む。一実施形態では、システム１００は、図２に示すようなシステムであってもよい。一実施形態では、システム１００は、調整可能な陽圧呼気圧（ＰＥＰ）療法又はＰＥＰ肺活量計システム／装置を含む。
【００２９】
一実施形態では、図１〜４に関し、システム１００は、吸気経路１０４を形成するチューブ又は導管部分を含む。一実施形態では、吸気通路１０４は、吸入される空気を患者に運ぶように構成される。
【００３０】
一実施形態では、システム１００は、吸気経路１０４とつながるように構成された吸入弁１０７を含む。一実施形態では、吸入弁１０７は逆止弁（ａ  ｃｈｅｃｋ  ｖａｌｖｅ）を含む。一実施形態では、吸気弁１０７は、ボール弁（ａ  ｂａｌｌ  ｖａｌｖｅ）を含む。一実施形態では、吸気弁１０７は一方向弁を含む。一実施形態では、吸入弁１０７は制御可能な弁を含む。一実施形態では、吸入弁１０７は、吸入された空気を患者にもたらす（即ち、患者が息を吸い込むことができるようにする）ように構成される任意の弁アセンブリである可能性がある。一実施形態では、吸気経路１０４におけるガス／空気の流れる方向は、図１、３、及び４の矢印によって示されるように、呼気経路１０８におけるものと反対である。
【００３１】
一実施形態では、各呼吸サイクルは、一般に、吸入フェーズ及び呼気フェーズを含む。一実施形態では、吸入フェーズの間に、吸入弁１０７は開状態であり、呼気弁１０９は閉状態である。即ち、吸入フェーズの間、（例えば、周囲圧力Ｐａｍｂにおける）ガスの流れは、開放吸入弁１０７を通り、吸気経路１０４を通って患者の口（気道及び肺）に入る。一実施形態では、周囲圧力の空気Ｐａｍｂが、例えば吸入弁１０７を通って吸気経路１０４内に吸入される。即ち、吸入弁１０７は、患者が、実質的に抵抗のない状態で吸入できるように開くように構成されている。一実施形態では、ガスの流れは、システム１００の入口開口１０３を通じて吸引される。呼気フェーズの間、吸気弁１０７を閉じることによって、空気は入口開口１０３を通って流出することから防止される。
【００３２】
一実施形態では、吸入フェーズの間、患者の口内の圧力は、周囲圧力Ｐａｍｂ（即ち、０ｃｍＨ２０）にほぼ等しいが、呼気フェーズの間、空気は、圧力の低下を引き起こす抵抗要素又は抵抗器１１０を通過し、即ち口腔内圧Ｐｍｏｕｔｈは周囲圧力Ｐａｍｂよりも高くなるであろう（図５に示されている）。
【００３３】
一実施形態では、システム１００はまた、呼気フェーズの開始及び終了を検出するように構成される。一実施形態では、システム１００は、呼気フェーズの開始及び終了を検出するアルゴリズムを含む。
【００３４】
一実施形態では、システム１００は、呼気経路１０８を形成するチューブ又は導管部分を含む。一実施形態では、呼気経路１０８は患者から出る呼気を取り出すように構成される。一実施形態では、図４に示すように、システム１００の呼気経路１０８は逆止弁１１９を含む。一実施形態では、図４に示すように、呼気経路１０８は、オン・オフ弁１０９を含む。一実施形態では、図４に示すように、呼気経路１０８は逆止弁１１９及びオン・オフ弁１０９の両方を含む。一実施形態では、呼気弁１０９／１１９は、呼気経路１０８とつながるように構成される。一実施形態では、呼気弁１０９／１１９は、患者からの呼気の流れが、呼気経路１０８を通って大気中に逃げるように、制御／許容するように構成された任意のバルブ・アセンブリである可能性がある。一実施形態では、呼気弁１０９は、ソレノイド又は電気機械作動弁を含む。一実施形態では、呼気弁１１９はボール弁を含む。一実施形態では、呼気弁１１９は逆止弁を含む。一実施形態では、呼気弁１１９は一方向弁を含む。
【００３５】
一実施形態では、システム１００は、患者の呼気の間の可変抵抗を制御するように構成される。一実施形態では、システム１００はまた、以下に詳細に説明するように、患者の呼気中の可変抵抗を除去するように構成される。
【００３６】
一実施形態では、システム１００は、呼気経路１０８に配置された流量抵抗器１１０を含む。一実施形態では、流量抵抗器１１０は流量抵抗素子を含んでもよい。一実施形態では、流量抵抗器１１０は電気的流れ抵抗素子であってもよい。一実施形態では、流量抵抗器１１０は機械的流れ抵抗素子であってもよい。一実施形態では、流量抵抗器１１０は、電気機械的流れ抵抗素子であってもよい。一実施形態では、流量抵抗器１１０は、呼気経路１０８において呼気抵抗を提供するように構成された任意の流れ抵抗素子であってもよい。
【００３７】
一実施形態では、流量抵抗器１１０は、呼気経路１０８において呼気抵抗を提供するように調整可能であるように構成される。一実施形態では、流量抵抗器１１０によって提供される呼気抵抗は、選択された呼吸に関して減らされ、呼気圧駆動を増加させ、腹部圧迫手技を模倣するように設定され、これについては以下で詳細に説明される。
【００３８】
一実施形態では、流量抵抗器１１０は手動で作動する及び／又は調整可能であるように構成される。一実施形態では、流量抵抗器１１０は機械的に作動する及び／又は調整可能であるように構成される。
【００３９】
一実施形態では、流量抵抗器１１０は、コンピュータ・システム１０２の１つ以上の物理的なプロセッサと動作可能に接続されるように構成される。一実施形態では、以下に詳細に説明されるように、流量抵抗器１１０は、コンピュータ・システム１０２によって調整可能であるように構成される。一実施形態では、図２のシステム１００に関して以下で詳細に説明するように、流量抵抗器１１０は、コンピュータ・システム１０２の流量抵抗器サブシステム１１４によって調整可能であるように構成される。
【００４０】
一実施形態では、システム１００は、患者によって放出されたガス／空気の流れを測定するセンサー１０６を含む。一実施形態において、センサー１０６は、流速、流量容積などの呼吸パラメータを測定して提供するように構成される。一実施形態では、センサー１０６は、呼気経路１０８を通る呼気の流量容積情報を測定するように構成される。一実施形態において、センサー１０６は、呼気経路１０８を通る呼気の容積流量速度を測定するように構成される。
【００４１】
一実施形態では、センサー１０６はフロー・センサーである。一実施形態では、センサー１０６はフロー・センサー及び圧力センサーを含む。
【００４２】
一実施形態では、センサー１０６は呼気経路１０８と流体連通している。呼気／呼気フェーズの間、センサー１０６は、呼気経路１０８における流量及び／又は圧力を測定するように構成される。一実施形態において、センサー１０６は、呼気／呼気フェーズの開始を感知し、センシング手順を開始するために較正されてもよい。一実施形態では、センサー１０６は、コンピュータ・システム１０２の１つ以上の物理的なプロセッサと動作可能に接続されるように構成される。一実施形態では、センサー１０６は、コンピュータ・システム１０２の基準・呼気流量−容積曲線・決定サブシステム１１２及び摂動呼気流量−容積曲線・決定サブシステム１１６と動作可能に接続されるように構成される。一実施形態では、センサー１０６は、データベース（例えば、データベース１３２）と動作可能に接続され、呼気流路１０８を通る呼気の流量−容積情報をデータベースに保存するように構成される。呼気経路１０８を通る呼気の保存された流量−容積情報は、必要に応じてデータベースから後に検索されることが可能である。
【００４３】
一実施形態では、システム１００はマウスピース１１１を含み、マウスピース１１１を介して患者はシステム１００システム１００内で呼吸する。一実施形態では、マウスピース１１１は、患者がマウスピース１１１の一部を彼／彼女の口の中に取り込むタイプのものであってもよい。一実施形態では、システム１００はマスク１１１を含み、マスク１１１を介して患者はシステム１００内で呼吸する。一実施形態では、マスク又はマウスピース１１１は、システム１００に取り外し可能に接続されるように構成される。一実施形態では、患者は呼気をマスク又はマウスピース１１１に放出する。
【００４４】
図２は、１つ以上の実施形態による、患者のＥＦＬを検出するためのシステム１００を示す。図２に示すように、システム１００は、サーバー１０２（又は複数のサーバー１０２）を含んでもよい。サーバー１０２は、基準呼気流量−容積曲線決定サブシステム１１２、流量抵抗調整サブシステム１１４、摂動呼気流量−容積曲線決定サブシステム１１６、呼気流量制限（ＥＦＬ）検出サブシステム１１８、呼気流量制限廃止サブシステム１２０、又はその他のコンポーネント又はサブシステムを含んでもよい。
【００４５】
一実施形態では、呼気流量制限廃止サブシステム１２０はオプションである。本明細書に記載される様々なサブシステム１１２〜１２０によって提供される機能性の説明は、例示の目的のためであり、限定するようには意図されておらず、なぜなら何れのサブシステム１１２〜１２０も説明されたものより多い又は少ない機能を提供する可能性があるからである、ということが理解されるべきである。例えば、サブシステム１１２〜１２０のうちの１つ以上は、除去されてもよく、その機能の一部又は全部は、サブシステム１１２〜１２０のうちの他のものによって提供されてもよい。別の例として、追加のサブシステムは、本明細書におけるサブシステム１１２〜１２０のうちの１つに帰属する機能の一部又は全部を実行するようにプログラムされてもよい。
【００４６】
一実施形態では、基準呼気流量−容積曲線決定サブシステム１１２は、基準呼気抵抗が呼気経路１０８において流量抵抗器１１０によって提供されている場合に、呼気経路１０８を通る呼気の流量−容積情報を用いて、基準呼気流量−容積曲線を決定するように構成される。
【００４７】
一実施形態では、設定された又は基準呼気抵抗は臨床試験によって取得されてもよい。一実施形態では、設定又は基準呼気抵抗はデータ分析を用いて取得されてもよい。一実施形態では、設定又は基準呼気抵抗は研究発表から取得されてもよい。一実施形態では、基準又は設定呼気抵抗は、データベース（例えば、データベース１３２）に保存され、必要に応じてデータベースから取り出されてもよい。一実施形態では、システム１００のサブシステムは、基準又は設定呼気抵抗を継続的に更新／修正する可能性がある。一実施形態では、設定又は基準呼気抵抗は、結果的に生じる正の呼気圧が一定又はほぼ一定になるように設定される。
【００４８】
一実施形態では、基準呼気流量−容積曲線決定サブシステム１１２は、基準呼気抵抗が呼気経路１０８において流量抵抗器１１０によって提供されている場合に、呼気経路１０８に関連する情報を得ることができる。一実施形態では、情報は、流量−容積情報、流量情報、圧力情報、又は他の任意の関連情報を含んでもよい。一実施形態では、患者の流量−容積情報は、基準呼気抵抗が呼気通路１０８において流量抵抗器１１０によって提供される場合に、呼気経路１０８内の流量−容積に関する情報を含んでもよい。一実施形態では、患者の流量情報は、基準呼気抵抗が呼気経路１０８において流量抵抗器１１０によって提供される場合に、呼気経路１０８を通る流れに関する情報を含んでもよい。一実施形態では、患者の圧力情報は、基準呼気抵抗が呼気通路１０８において流量抵抗器１１０によって提供される場合に、呼気経路１０８内の圧力に関する情報を含んでもよい。
【００４９】
別の例として、１つ以上の監視装置（例えば、流量監視装置、圧力監視装置、又は他の監視装置）から情報を得ることができる。一実施形態では、１つ以上の監視装置及び関連するセンサー１０６は、基準呼気抵抗が呼気経路１０８において流量抵抗器１１０によって提供される場合に、呼気経路１０８内の流量容積を監視するように構成されることが可能である。一実施形態では、１つ以上の監視装置及び関連するセンサー１０６は、基準呼気抵抗が呼気経路１０８において流量抵抗器１１０によって提供される場合に、呼気経路１０８を通る流れ（フロー）を監視するように構成されることが可能である。一実施形態では、１つ以上の監視装置及び関連するセンサー１０６は、基準呼気抵抗が呼気経路１０８において流量抵抗器１１０によって提供される場合に、呼気経路１０８内の圧力を監視するように構成されることが可能である。これらの監視装置は、圧力センサー、圧力変換器、流量センサー、流量センサー、容積センサー、又は他のセンサーのような１つ以上のセンサー１０６を含んでもよい。センサーは、例えば基準呼気抵抗が呼気経路１０８において流量抵抗器１１０によって提供されている場合に、患者の情報（例えば、圧力、流量、流量−容積、容積、又は他の関連パラメータ）又は呼気経路１０８に関連する他の情報を得るように構成されることができる。
【００５０】
あるシナリオでは、監視装置は、情報（例えば、１つ以上のセンサー１０６からの情報に基づく情報）を取得し、処理のためにネットワーク（例えば、ネットワーク１５０）を介してコンピュータ・システム（例えば、サーバー１０２を含む）に情報を提供することができる。別のシナリオでは、情報を得ると、監視装置は、得られた情報を処理し、処理された情報をネットワーク（例えば、ネットワーク１５０）を介してコンピュータ・システムに提供することができる。更に別のシナリオでは、監視装置は、コンピュータ・システム（例えば、サーバ１０２を含む）に情報（例えば、取得した又は処理された情報）を自動的に提供することができる。
【００５１】
一実施形態では、基準呼気流量−容積曲線決定サブシステム１１２は、呼気経路１０８において基準呼気抵抗１１０によって基準呼気抵抗が提供される場合に得られた流量−容積情報から、基準呼気流量−容積曲線を決定するように構成される。即ち、基準呼気流量−容積曲線決定サブシステム１１２は、装置の流量センサー及び圧力センサーからの情報／データを分析し、センサー・データ／情報に基づいて基準呼気流量−容積曲線を計算又は決定するように構成される。一実施形態では、基準呼気流量−容積曲線決定サブシステム１１２は、フロー信号及び圧力信号から直接的に基準呼気流量−容積曲線を決定するように構成することができる。
【００５２】
一実施形態では、流量抵抗調整サブシステム１１４は、流量抵抗器１１０と動作可能に関連付けられるように構成される。一実施形態では、流量抵抗調整サブシステム１１４は、患者の呼気中の可変抵抗を制御するように構成される。一実施形態では、流量抵抗調整サブシステム１１４はまた、患者の呼気中の可変抵抗を除去するようにも構成される。
【００５３】
一実施形態では、流量抵抗調整サブシステム１１４は、流量抵抗１１０を基準呼気抵抗に調整するように構成される。一実施形態では、流量抵抗調整サブシステム１１４は、基準呼気抵抗よりも呼気抵抗を低下させるように流量抵抗器１１０を調整するように構成される。一実施形態では、流量抵抗調整サブシステム１１４は、選択された呼吸における呼気抵抗を減少（又は減少／低下）するように構成される。一実施形態では、流量抵抗調整サブシステム１１４は、例えばＥＦＬを廃止するために、呼気抵抗を調整／変更するように構成される。一実施形態では、流量抵抗調整サブシステム１１４は、選択された呼吸における基準呼気抵抗を増加させるように構成される。
【００５４】
一実施形態では、摂動呼気流量−容積曲線決定サブシステム１１６の構成、動作、及び構造は、以下に言及する相違点を除いて、基準呼気流量−容積曲線決定サブシステム１１２のものと同様である。一実施形態では、摂動呼気流量−容積曲線決定サブシステム１１６は、より低い呼気抵抗（即ち、設定された／基準の呼気抵抗よりも低い）が呼気経路１０８において流量抵抗１１０によって提供される場合に、呼気経路１０８を通る呼気の流量−容積情報を用いて、摂動した呼気流量−容積曲線を決定するように構成される。
【００５５】
一実施形態では、摂動呼気流量−容積曲線決定サブシステム１１６は、より低い呼気抵抗（即ち、設定／基準呼気抵抗未満）が呼気経路１０８において流量抵抗１１０によって提供される場合に、呼気経路１０８に関連する情報を得ることができる。一実施形態では、より低い呼気抵抗（即ち、設定／基準呼気抵抗未満）が呼気通路１０８において呼気抵抗１１０によって提供される場合に、情報は、流量−容積情報、流量情報、圧力情報、又は何らかの他の関連情報を含む可能性がある。一実施形態では、より低い呼気抵抗（即ち、設定／基準呼気抵抗未満）が、呼気経路１０８において流量抵抗１１０によって提供される場合に、１つ以上の監視装置及び関連するセンサー１０６は、呼気流路１０８における流量−容積、流量、圧力、又はその他の関連情報を監視するように構成されることができる。
【００５６】
一実施形態では、摂動呼気流量−容積曲線決定サブシステム１１６は、より低い呼気抵抗（即ち、設定／基準呼気抵抗未満）が呼気流路１０８において流量抵抗１１０によって提供されている場合に得られた流量−容積情報から、摂動した呼気流量−容積曲線を決定するように構成される。即ち、摂動呼気流量−容積曲線決定サブシステム１１６は、装置の流量センサー及び圧力センサーからの情報／データを分析し、センサー・データ／情報に基づいて、摂動した呼気流量−容積曲線を計算又は決定するように構成される。一実施形態では、摂動呼気流量−容積曲線決定サブシステム１１６は、流量及び圧力信号から直接的に、摂動した呼気流量−容積曲線を決定するように構成することができる。
【００５７】
一実施形態では、システム１００は、呼気流量−容積曲線を計算するアルゴリズムを含む。一実施形態では、システム１００の基準呼気流量−容積曲線決定サブシステム１１２及び摂動呼気流量−容積曲線決定サブシステム１１６はそれぞれ呼気流量−容積曲線を計算するためのアルゴリズムを含む。即ち、一実施形態では、基準呼気流量−容積曲線決定サブシステム１１２は、呼気経路１０８において流量抵抗１１０によって基準呼気抵抗が提供される場合に、呼気経路１０８を通る呼気の流量−容積情報を使用して基準呼気流量−容積曲線をアルゴリズムを使用して決定するように構成される。一実施形態では、摂動呼気流量−容積曲線決定サブシステム１１６は、より低い呼気抵抗（即ち、設定／基準呼気抵抗未満）が呼気経路１０８において流量抵抗１１０によって提供される場合に、呼気経路１０８を通る呼気の流量−容積情報を使用して摂動呼気流量−容積曲線をアルゴリズムを使用して決定するように構成される。
【００５８】
一実施形態では、呼気流量制限（ＥＦＬ）検出サブシステム１１８は、ｉ）（例えば、基準呼気流量−容積曲線決定サブシステム１１２から）決定された摂動呼気流量−容積曲線及びｉｉ）（例えば、摂動呼気流量−容積曲線決定サブシステム１１６から）決定された基準呼気流量−容積曲線に基づいて、患者の呼気流量制限（ＥＦＬ）を検出するように構成される。一実施形態では、呼気流量制限（ＥＦＬ）検出サブシステム１１８は、（例えば、基準呼気流量−容積曲線決定サブシステム１１２から）決定された摂動呼気流量−容積曲線を、（例えば、摂動呼気流量−容積曲線決定サブシステム１１６から）決定された基準呼気流量−容積曲線と比較することによって、患者の呼気流量制限（ＥＦＬ）を検出するように構成される。
【００５９】
一実施形態では、ＥＦＬの存在は、２つの呼吸の流量−容積曲線（即ち、基準呼吸より低い呼気抵抗を有する摂動呼吸及び基準呼吸）を比較することによって評価される。
【００６０】
一実施形態では、基準呼気流量−容積曲線及び摂動呼気流量−容積曲線は、呼吸の視覚的評価のために介護者に表示される。一実施形態では、分類（即ち、ＥＦＬ＿ｖｓ＿非ＥＦＬ）は、介護者によって行われる。
【００６１】
一実施形態では、システム１００はまた、ユーザー・インターフェース及び／又は他のコンポーネントを含む。一実施形態では、ユーザー・インターフェースは、システム１００と患者／介護者／医師との間のインターフェースを提供するように構成される。一実施形態では、基準呼気流量−容積曲線及び摂動呼気流量−容積曲線は、ユーザー・インターフェースにより介護者／医師に表示される。一実施形態では、介護者／医師は、ユーザー・インターフェースを使用して患者に届けられる１つ以上のＰＥＰ治療レジメンを指定してもよい。ユーザー・インターフェースに含めるのに適したインターフェース装置の例は、キーパッド、ボタン、スイッチ、キーボード、ノブ、レバー、表示スクリーン、タッチ・スクリーン、スピーカ、マイクロフォン、インジケータ・ライト、可聴アラーム、プリンタ、触覚フィードバック装置、及び／又は他のインターフェース装置を含む。一実施形態では、ユーザー・インターフェースは、複数の別々のインターフェースを含む。一実施形態では、ユーザー・インターフェースは、システム１００と一体的に提供される少なくとも１つのインターフェースを含む。
【００６２】
一実施形態では、分類（即ち、ＥＦＬ＿ｖｓ＿非ＥＦＬ）は自動化される。一実施形態では、分類（即ち、ＥＦＬ＿ｖｓ＿非ＥＦＬ）は、システム１００内のコンピュータ・システム１０２の１つ以上のプロセッサによって実行されるアルゴリズムで行われる。一実施形態では、分類（即ち、ＥＦＬ＿ｖｓ＿非ＥＦＬ）は、システム１００の外にあるコンピュータ・システム１０２の１つ以上のプロセッサによって実行されるアルゴリズムで行われる。即ち、システム１００は、テスト結果（即ち、ＥＦＬ＿ｖｓ＿非ＥＦＬ）を決定する自動アルゴリズムを含む。一実施形態では、分類アルゴリズムは、低減された呼気抵抗に関わる呼吸（即ち、摂動呼吸）、及び摂動に先行する呼吸（即ち、基準呼吸）の呼気波形を、入力として受信するように構成される。即ち、分類アルゴリズムは、基準呼気流量−容積曲線及び摂動呼気流量−容積曲線を入力として受け取るように構成される。
【００６３】
一実施形態では、摂動呼気に先行する１つ以上の呼吸が、アルゴリズムのロバスト性を高めるために（例えば、平均参照呼気を計算することによって）、及び／又は、摂動呼気との比較が交絡因子（ｃｏｎｆｏｕｎｄｉｎｇ  ｆａｃｔｏｒｓ）の影響を受けないように、基準呼気が十分に安定しているかどうか、及び／又は反復可能かどうかを評価するために使用される。一実施形態では、流れ波形を変化させることができる唯一の要因は、駆動圧力である。
【００６４】
一実施形態では、分類アルゴリズムは、呼気流量波形又は流量−容積曲線から計算される単一の特徴に基づいている。一実施形態では、呼気流量波形又は流量−容積曲線から計算される特徴は、基準呼吸からのフローに等しい摂動呼吸からのフローで生じる呼気容積のパーセンテージを含む。一実施形態では、呼気流量−容積曲線又は容積波形は、測定された呼気流量−容積曲線又は流量波形の数値積分によって計算される。一実施形態では、最適化すべきアルゴリズム・パラメータの中には、フローが等しいと考えることが可能であるかどうかを決定するための閾値と、呼気が流量制限されるかどうかを宣言するための呼気容積のパーセンテージにおける閾値とがある。一実施形態では、上記のパーセンテージは、ＥＦＬを廃止するために必要な圧力の自動変化に関連する。
【００６５】
一実施形態では、分類アルゴリズムは、呼気流量−容積曲線又は呼気流量波形から計算される複数の特徴に基づく。一実施形態では、呼気流量波形又は呼気流量−容積曲線から算出される特徴は、同じフローの呼気容積のパーセンテージ（基準呼吸＿ｖｓ＿摂動呼吸）、（基準呼吸及び摂動呼吸についての同じ時間にわたる）呼気容積、典型的には摂動呼吸において生じる振幅のピークを含む。一実施形態では、分類アルゴリズムは、データに基づくものであり（ｄａｔａ−ｄｒｉｖｅｎ）、従って、フロー制限呼吸及び非フロー制限呼吸の両方を含むデータセットで訓練され（即ち、機械学習を行い）、次いで独立したデータセットで検証される（即ち、これは訓練フェーズから除外される）。
【００６６】
一実施形態では、図７に示すように、（例えば、呼気流量制限検出サブシステム１１８へのような）分類アルゴリズムへの入力は、摂動呼吸からの気流波形／流量−容積曲線と、基準呼吸からの気流波形／流量−容積曲線（例えば、摂動呼吸に先立つ１つ又は複数の呼吸）とを含む。一実施形態では、摂動呼吸からの気流波形／流量−容積曲線は、摂動呼気流量−容積曲線決定サブシステム１１６から分類アルゴリズム（例えば、呼気流量制限検出サブシステム１１８）へ送られる。一実施形態では、基準呼吸（例えば、摂動呼吸に先立つ１つ又は複数の呼吸）からの気流波形／流量−容積曲線は、基準呼気流量−容積曲線決定サブシステム１１２から分類アルゴリズム（例えば、呼気流量制限検出サブシステム１１８）へ送られる。
【００６７】
一実施形態では、呼気流量制限（ＥＦＬ）廃止サブシステム１２０は、検出時によりＥＦＬを廃止するように構成される。一実施形態では、呼気抵抗もまた、ＥＦＬを廃止するように変更される。一実施形態において、システム１００は、ＥＦＬのリアルタイム検出及び廃止のために使用されてもよい。一実施形態では、図８に関して詳細に説明されるように、コンピュータ・システム１０２の１つ以上のプロセッサは、ＥＦＬを検出すると、ＥＦＬを廃止するために、呼気気道圧を自動的に増加又は減少させるように構成される。一実施形態では、システム１００は、ＥＦＬを特別に検出し、場合によってはそれを治療するように構成される。更に、システム１００は、選択された呼吸における呼気抵抗を減少させるように構成される。
【００６８】
一実施形態では、システム１００は、ＥＦＬの検出時に、ＥＦＬを廃止するためにＰＥＰ療法を自動的に調整するように構成される。一実施形態では、設定される呼気抵抗は増加し、その手順は幾つかの呼吸の後に繰り返される。一実施形態では、いったんＥＦＬが廃止されると、規則的な時間間隔で、又は呼吸パターンの変化が検出された場合に、ＥＦＬの不存在を確認するために手順が反復される。
【００６９】
図３に示す概略は一つの可能な実施例に過ぎない。図３の概念の実装は、異なる実施形態、例えば図４におけるものに従うことが可能であり、そこでは、呼気のために更なる経路又は通路が示されている。この経路／通路は、ｉ）オープン（抵抗なし）、ｉｉ）クローズド（抵抗無限大）という２つの可能な構造を有する。一実施形態では、弁１０９は、一方の構成から他方の構成に切り替えるために使用される。一実施形態では、通常（基準呼吸）、追加の経路／通路は遮断される（弁は閉じられる）。一実施形態では、呼気流量（ＥＦ）が必要とされる場合、追加の経路／通路は開放され（弁は開かれ）、呼気抵抗をバイパスする（摂動呼吸）。
【００７０】
図５にＥＦＬを検出する技術の一例を示す。図５は、システム１００において、選択された呼吸に関する例示的な呼気抵抗の低下についてのグラフ図を示す。一実施形態では、選択された呼吸において、呼気抵抗が低下する。このような呼吸は、本特許出願において摂動呼吸（ｐｅｒｔｕｒｂｅｄ  ｂｒｅａｔｈｓ）と称される。
【００７１】
一実施形態では、摂動呼吸の呼気流量−容積曲線は、１つ以上の先行する呼吸（基準呼吸）の呼気流量−容積曲線と比較される。図５は、システム１００において選択された呼吸に関する呼気抵抗の減少例を示す。一実施形態では、選択された呼吸において、呼気抵抗は、より低い口腔内圧Ｐｍｏｕｔｈ（即ち、より高い呼気駆動）を呼気中に引き起こすために、呼気抵抗はバイパスされる
【００７２】
図５は、グラフ５０２の左側Ｙ軸に外圧（例えば、ｃｍＨ２０の単位で測定される）及びグラフ５０２のＸ軸に時間（例えば、秒単位で測定される）を示す。例えば、外圧は周囲圧力Ｐａｍｂとも呼ばれる。グラフ５０２から分かるように、外圧又は周囲圧力、Ｐａｍｂは、（グラフ５０２のＸ軸に示される）２０秒〜６０秒の間の全期間にわたって０ｃｍＨ２０という一定圧力に維持される。
【００７３】
図５は、グラフ５０４の左側Ｙ軸に呼気抵抗（例えば、ｃｍＨ２０＊ｓ／Ｌ単位で測定される）及びグラフ５０４のＸ軸に時間（例えば、秒単位で測定される）を示す。例えば、呼気抵抗は、呼気経路１０８において流量抵抗器１１０によって加えられる流量抵抗である。グラフ５０４を参照すると、２０秒〜４５秒の間の期間に対して呼気抵抗は２０ｃｍＨ２０＊ｓ／Ｌに維持される。次いで、呼気抵抗は、ほぼ４５秒の時点で、２０ｃｍＨ２０＊ｓ／Ｌから０ｃｍＨ２０＊ｓ／Ｌへ減少／低下させられる。次いで、呼気抵抗は２０ｃｍＨ２０＊ｓ／Ｌに増やされる又は設定し直される。
【００７４】
図５は、グラフ５０６の左側Ｙ軸に口腔内圧（例えば、ｃｍＨ２０の単位で測定される）及びグラフ５０６のＸ軸に時間（例えば、秒の単位で測定される）を示す。例えば、口腔内圧は、患者インターフェース（例えば、マスク又はマウスピース１１１）で測定され、これはＰｍｏｕｔｈとも言及される。グラフ５０６を参照すると、２０秒から４５秒の間の期間に関し、呼気抵抗が２０ｃｍＨ２０＊ｓ／Ｌに維持される場合、口腔内圧Ｐｍｏｕｔｈは一定に維持される。ほぼ４５秒の時点において呼気抵抗が２０ｃｍＨ２０＊ｓ／Ｌから０ｃｍＨ２０＊ｓ／Ｌに減少／低下すると、口腔内圧Ｐｍｏｕｔｈはグラフ５０６に明確に見られるように低下した。その後、呼気抵抗は２０ｃｍＨ２０＊ｓ／Ｌに増やされ又は設定し直され、口腔内圧Ｐｍｏｕｔｈも以前の値（即ち、２０秒から４５秒の間の期間内のＰｍｏｕｔｈの値）に増やされる。
【００７５】
図６は、システム１００から得られた摂動呼吸と基準呼吸との間の２つの例示的なフロー比較（流量−容積曲線／ループ）を示す。
【００７６】
図６は、流量−容積曲線６０２及び６０４のＸ軸において流量情報（例えば、リットル／秒の単位で測定される）を示す。図６はまた、流量−容積曲線６０２及び６０４の左側Ｙ軸に容積情報（例えば、リットルの単位で測定される）を示す。
【００７７】
図６の左側のプロット又は流量−容積曲線６０２では、呼気駆動の増加は、流量の増加を引き起こしていない。即ち、破線ライン（基準の呼気流量−容積）曲線とライン（摂動した呼気流量−容積）曲線は、（呼気フェーズの最初の部分を除いて）互いに非常に近い。従って、図６の左側プロットにおける呼吸は、流量制限されている。流量−容積曲線６０２は、ＥＦＬを伴う流量−容積曲線を示す。
【００７８】
図６の右側のプロット又は流量−容積曲線６０４では、呼気駆動の増加は、かなり高い呼気流量を引き起こしている。即ち、破線ライン（基準の呼気流量−容積）曲線とライン（摂動した呼気流量−容積）曲線は互いに近接していない。従って、図６の右側プロット又は流量−容積曲線６０４における呼吸は、流量制限されていない。流量−容積曲線６０４は、ＥＦＬのない流量−容積曲線を示す。
【００７９】
図７は、システム１００における呼気抵抗の低減によるＥＦＬ検出例及びＥＦＬを廃止するための対応する処置を示す。一実施形態では、ＥＦＬの検出に続いて、呼気抵抗を増加させることにより、呼気圧レベルが増やされ、手順（摂動、分類アルゴリズム、及び抵抗更新）が反復される。
【００８０】
図７は、グラフ７０２の左側Ｙ軸に呼気抵抗（例えば、ｃｍＨ２０＊ｓ／Ｌの単位で測定される）及びグラフ７０２のＸ軸に時間（例えば、秒の単位で測定される）を示す。例えば、呼気抵抗は、呼気経路１０８において流量抵抗器１１０によって適用される流量抵抗である。グラフ７０２を参照すると、０秒から２５秒の間の期間に関し、呼気抵抗は、１５ｃｍＨ２０＊ｓ／Ｌに維持される。一実施形態では、基準呼吸（例えば、摂動呼吸に先立つ１つ又は複数の呼吸）からの気流波形／流量曲線は、基準呼気流量−容積曲線決定サブシステム１１２から分類アルゴリズム（例えば、呼気流量制限検出サブシステム１１８）へ、例えば図７に示すように０秒〜２５秒の間の期間中に送られる。
【００８１】
次いで、ほぼ２５秒の時点で、呼気抵抗は１５ｃｍＨ２０＊ｓ／Ｌから０ｃｍＨ２０＊ｓ／Ｌに減少又は低下させられる。一実施形態では、摂動呼吸からの気流波形／流量曲線は、摂動呼気流量−容積曲線決定サブシステム１１６からの分類アルゴリズム（例えば、呼気流量制限検出サブシステム１１８）へ、例えば図７に示されるような２５秒の時点の後に送られる。一実施形態では、呼気流量制限検出サブシステム１１８は、決定された摂動した呼気流量−容積曲線を、決定された基準呼気流量−容積曲線と比較することによって、患者の呼気流量制限（ＥＦＬ）を検出するように構成される。
【００８２】
一実施形態では、患者の呼気流制限（ＥＦＬ）が検出された場合、呼気抵抗は、例えば図７に示す３２秒〜４７秒の間の期間に、例えば１７ｃｍＨ２０＊ｓ／Ｌまで増加される。この手順は以後反復される。即ち、３２秒から４７秒の間の期間に関し、呼気抵抗は１７ｃｍＨ２０＊ｓ／Ｌに維持される。次いで、呼気抵抗は、約４７秒の時点の後に１７ｃｍＨ２０＊ｓ／Ｌから０ｃｍ  Ｈ２０＊ｓ／Ｌに減少又は低下させられる。一実施形態では、基準呼吸（例えば、摂動呼吸に先行する１つ又は複数の呼吸）からの気流波形／流量曲線は、基準呼気流量−容積曲線決定サブシステム１１２から分類アルゴリズム（例えば、呼気流量制限検出サブシステム１１８）へ、例えば図７に示すように３２秒〜４７秒の期間中に送られる。一実施形態では、摂動呼吸からの気流波形／流量曲線は、摂動呼気流量−容積曲線決定サブシステム１１６からの分類アルゴリズム（例えば、呼気流量制限検出サブシステム１１８）へ、例えば図７に示されるような４７秒の時点の後に送られる。一実施形態では、呼気流量制限検出サブシステム１１８は、決定された摂動した呼気流量−容積曲線を、決定された基準呼気流量−容積曲線と比較することによって、患者の呼気流量制限を検出するように構成される。
【００８３】
一実施形態では、患者の呼気流量制限（ＥＦＬ）が検出されない場合、呼気抵抗は減少／減少させられる。一実施形態では、患者の呼気流量制限（ＥＦＬ）が検出されない場合、呼気抵抗は増やされない。
【００８４】
図７はまた、グラフ７０４の左側Ｙ軸に容積（例えば、リットルの単位で測定される）及びグラフ７０４のＸ軸に時間（例えば、秒の単位で測定される）を示す。例えば、容積はセンサー１０６から得られる流量情報である。
【００８５】
図８は、図７の実施形態に関するより詳細なフローチャートを示す。図８は、呼気抵抗低減によるＥＦＬ検出の一例及び対応する廃止フローチャートを示す。図８は、患者のＥＦＬを検出するためのフローチャートである。図８を参照すると、患者のＥＦＬを検出するための方法８００が提供されている。方法８００は、コンピュータ・プログラム命令を実行する１つ以上の物理的なプロセッサを含むコンピュータ・システム１０２によって実行され、コンピュータ・プログラム命令は実行されると方法８００を実行する。方法８００は、呼気経路１０８を通る呼気の流量−容積情報を、１つ以上のセンサー（１０６）から取得するステップ；基準呼気抵抗が呼気経路において流量抵抗器により提供されている場合に、呼気経路を通る呼気の流量−容積情報を利用して、基準呼気流量−容積曲線を、前記コンピュータ・システムにより決定するステップ；呼気抵抗を基準呼気抵抗よりも下げるように、流量抵抗器を調整するステップ；下げられた呼気抵抗が呼気経路において流量抵抗器により提供されている場合に、呼気経路を通る呼気の流量−容積情報を利用して、摂動した呼気流量−容積曲線を、コンピュータ・システム１０２により決定するステップ；及び（ｉ）決定された摂動した呼気流量−容積曲線及び（ｉｉ）決定された基準呼気流量−容積曲線に基づいて、患者の呼気流量制限（ＥＦＬ）を、コンピュータ・システム１０２により検出するステップを有する。
【００８６】
図８に関し、一実施形態では、システム１００は手順８０１において設定／基準呼気抵抗で始動される。一実施形態では、手順８０２において、システム１００は、例えばｎ回の呼吸に対して、設定された／基準の呼気抵抗で動作又は実行するように継続される。一実施形態では、手順８０３において、システム１００は、（ｎ＋１）回目の呼吸の呼気フェーズの間に、呼気経路１０８における呼気抵抗を（例えば、流動抵抗１１０を調整することによって）変化させるように（即ち、設定／基準呼気抵抗から異なる呼気抵抗へ変化させるように）構成される。
【００８７】
一実施形態では、手順８０４において、システム１００は、（ｎ＋２）回目の呼吸の呼気フェーズに関し、呼気経路１０８における呼気抵抗を（例えば、流動抵抗１１０を調整することによって）変化させるように構成される。一実施形態では、手順８０４において、システム１００は、呼気経路１０８における呼気抵抗を、設定／基準呼気抵抗に変更するように構成される。
【００８８】
一実施形態では、手順８０５において、システム１００は、ｎ個の呼吸について呼気経路１０８を通る呼気の流量−容積情報を使用して、基準呼気流量−容積曲線を決定するように構成される。一実施形態では、手順８０５において、システム１００は、ｎ＋１回目の呼吸について呼気経路１０８を通る呼気の流量−容積情報を使用して、摂動された呼気流量−容積曲線を決定するようにも構成される。一実施形態では、手順８０５において、システム１００は、（ｉ）決定された摂動した呼気流量−容積曲線（ｉｉ）決定された基準呼気流量−容積曲線に基づいて、患者の呼気流量制限（ＥＦＬ）を検出するように構成される。
【００８９】
一実施形態では、手順８０６において、ＥＦＬが検出された場合、手順８０７において、システム１００は、呼気経路１０８における設定された呼気抵抗を（例えば、流量抵抗１１０を調整することによって）増加させるように構成されている。一実施形態では、方法８００は、手順８０６の後に手順８０２にループし／戻り、それ以降方法８００は反復する。
【００９０】
一実施形態では、手順８０６において、ＥＦＬが検出されない場合、手順８０８において、システム１００は、ｎ回の呼吸について、呼気経路１０８において設定／基準呼気抵抗で動作するように構成されている。
【００９１】
一実施形態では、手順８０９において、システム１００は、ＥＦＬがｘ回連続して検出されたかどうかを決定するように構成されている。一実施形態では、ＥＦＬがｘ回連続して検出されない場合、方法８００は、手順８０９の後に手順８０２にループし／戻り、それ以降方法８００は反復される。
【００９２】
一実施形態では、ＥＦＬがｘ回連続して検出された場合、手順８１０において、システム１００は、呼気経路１０８における設定／基準呼気抵抗を（例えば、流量抵抗器１１０を調整することによって）低減するように構成されている。一実施形態では、方法８００は、手順８１０の後に手順８０２にループし／戻り、それ以降方法８００は反復される。
【００９３】
一実施形態では、患者は医師のもとに行く。一実施形態では、患者の医師は、例えば、１）患者の喫煙歴；２）間接喫煙、空気汚染、化学物質又は粉塵にさらされたこと；３）息切れ、慢性の咳及び粘液などの症状について質問する。一実施形態では、患者の医師は、第１強制呼気量（ＦＥＶ１）及び強制肺活量（ＦＶＣ）を測定するために肺活量検査を行う。一実施形態では、患者の医師は、その情報を利用して、患者がＣＯＰＤを有するかどうかを決定し、患者のＣＯＰＤ病期分類を決定する。
【００９４】
一実施形態では、次いで、患者の医師は、本特許出願のシステム１００を使用して、そのＣＯＰＤ患者のＥＦＬを検出する。一実施形態では、患者の医師は、システム１００を用いて、患者がＥＦＬによる影響を受けるかどうかを直接的に評価する。一実施形態では、患者は、仰臥位でシステム１００を通して正常に呼吸するように、医師により依頼される。一実施形態では、システム１００は、正の呼気圧（ＰＥＰ）を生じる呼気経路１０８における抵抗を含む。即ち、一実施形態では、システム１００は、その呼気抵抗によってＰＥＰを引き起こす。一実施形態では、いったん患者がシステム１００を通して楽に呼吸すると、患者の医師は、呼気経路１０８における呼気抵抗を除去する（手動又は電子）ボタンを押す。即ち、数回の呼吸の後、呼気抵抗なしで１回の呼吸が行われる。即ち、患者は、より高いＰＥＰで数回呼吸し、次いでより低いＰＥＰで数回呼吸する。一実施形態では、ＰＥＰは手動で変更することができる。一実施形態では、流量が測定され、流量−容積ループが、異なるＰＥＰにおける連続した呼吸を比較するために使用される。
【００９５】
一実施形態では、患者の医師は、システム１００によって、例えば図６に示すような流量−容積プロット又は曲線を提示される。即ち、図６を参照すると、呼気抵抗がある呼吸（基準）及び呼気抵抗がない呼吸（摂動）に関する呼気流量−容積ループが比較される。後者は増加した呼気圧駆動による呼吸に相当する。増加した流量をもたらしていない場合、患者は流量制限されている。
【００９６】
一実施形態では、患者が流量制限されている場合、次いで、患者の医師は、指針（ｖｅｃｔｏｒ）／治療を処方する。即ち、患者の流量−容積プロットが、図６の左側のプロットに示されるものと類似している場合、患者の医師は、その患者がＥＦＬの影響を受けていると判断し、次いで、指針／治療を処方する。
【００９７】
一実施形態では、システム１００は、医師が流量−容積曲線を分析して診断を行うために、測定されたフロー情報（又は流量−容積曲線）を、外部プロセッサ及び／又ディスプレイ（例えば、スマートフォン、タブレット又は専用プロセッサ／ディスプレイ）に送信する（送信）ユニットを含む。
【００９８】
一実施形態では、システム１００は、非換気患者（ｎｏｎ−ｖｅｎｔｉｌａｔｅｄ  ｐａｔｉｅｎｔｓ）におけるＥＦＬの診断のために携帯可能で安価な装置又はシステムを提供する。一実施形態では、システム１００は、患者からの協力を必要としない。
【００９９】
一実施形態では、システム１００は、医師のオフィスにおいてＥＦＬスクリーニングのために使用されてもよい。一実施形態では、システム１００は、患者の自宅でのＥＦＬモニタリングのために使用されてもよい。一実施形態において、システム１００は、薬学的処置をより楽に評価するために使用されてもよい。
【０１００】
一実施形態において、システム１００は、オンラインＥＦＬ検出のために使用されてもよい。一実施形態では、コンピュータ・システム１０２の１つ以上のプロセッサ（例えば、アルゴリズムを実行するもの）は、選択された呼吸における呼気圧／抵抗の変更を自動的に実行するように構成される。一実施形態では、選択された呼吸における呼気圧の変化は、患者によって手動でトリガーされる。
【０１０１】
一実施形態では、コンピュータ・システム１０２の１つ以上のプロセッサは、流量−容積曲線を計算するように構成されている。一実施形態では、コンピュータ・システム１０２の１つ以上のプロセッサ（アルゴリズムを実行するもの）は、そのような曲線に対応する呼吸の自動分類（即ち、フロー制限＿ｖｓ＿非フロー制限）のために構成されている。一実施形態では、アルゴリズムの出力（即ち、ＥＦＬ又は非ＥＦＬ）は、視覚的信号又は聴覚的信号によって患者に通知される。一実施形態では、システム１００は、遠隔監視のために、及び／又は患者が分類アルゴリズムによって処理された実際の流量−容積曲線にアクセスするために、測定された流量情報（又は流量−容積曲線）を送信する（送信）ユニットを含む。
【０１０２】
一実施形態では、呼気抵抗の変更は、基準抵抗（又は基準の呼気陽圧）で複数回呼吸した後、抵抗を典型的にはより低いレベルに変更し、１回以上の呼吸に対して新しい抵抗（又は呼気陽圧）を維持することを含む。一実施形態では、呼気抵抗は、フィードバック制御及び／又は適応フィードフォワード制御又は補償を用いて、呼気フェーズ中に連続的に調節される。
【０１０３】
一実施形態では、システム１００のサブシステムは、以前に得られた圧力情報、以前に得られた流量情報、以前に得られた呼気抵抗情報、以前に得られた流量−容積情報、及び／又は以前に得られた複数の患者からのＥＦＬ情報を使用して、基準呼気抵抗を決定するように構成することができる。一実施形態では、このサブシステムはまた、後続の圧力情報、後続の流量情報、後続の流量−容積情報、後続の呼気抵抗情報、及び／又は複数の患者の後続のＥＦＬ情報を連続的に取得するようにも構成される。即ち、サブシステムは、複数の患者に関連する後続の情報を連続的に得ることができる。一例として、後続の情報は、（ＥＦＬ情報を決定するために使用された情報に対応する時間の後に）後続の時間に対応する追加の情報を含んでもよい。一例として、後続の情報は、１つ又は複数の監視装置及び関連する１つ又は複数のセンサーから得ることができる。
【０１０４】
後続の情報は、基準／設定呼気抵抗などを更に更新又は修正するために利用されることが可能である（例えば、新しい情報は、基準／設定呼気抵抗を動的に更新又は修正するために使用されることが可能である）。幾つかの実施形態において、このサブシステムは、次いで、後続の圧力情報、後続の流量情報、後続の流量−容積情報、後続の呼気抵抗情報、後続のＥＦＬ情報、又は他の後続の情報に基づいて、基準／設定呼気抵抗を継続的に修正又は更新するように構成される。例えば、「後続」情報は、流量−容積ループ（例えば、本明細書に記載されるようなもの）に加えて、患者が流量制限されているかどうかを判断するために使用される可能性がある。
【０１０５】
一実施形態では、本特許出願は、ＥＦＬの検出及び処置のための安価な（低コストの）携帯可能なシステム／装置を提供する。一実施形態では、システム１００は、（強制振動技術（ＦＯＴ）及び陰性呼気圧力装置とは対照的に）携帯可能で安価である。一実施形態において、システム１００は携帯装置である。
【０１０６】
簡単さの恩恵により、本特許出願のシステム１００は、医師のオフィスにおけるスクリーニングから、ＥＦＬ症状を緩和するために装置／システムを定期的に使用している患者に関するＥＦＬのオンライン検出まで、及びＥＦＬを廃止するために装置／システム自体の自動調整と組み合わせたオンライン検出にさえも、幅広い用途に使用されることが可能である。一実施形態では、本特許出願のシステム１００は、家庭での定期的なモニタリング／診断、並びにＥＦＬの継続的なリアルタイム検出及び廃止のために使用することができる。
【０１０７】
一実施形態では、システム１００は、ＥＦＬを直接的な方法で検出するように構成されている点で魅力がある。即ち、システム１００は、ＥＦＬとの相関の測定を多かれ少なかれ当てにするのではなく（例えば、強制振動技術（ＦＯＴ）及び肺活量測定により得られるΔＸｒｓ及びＦＥＶ１／ＦＶＣ測定のようなものとは異なり）、ＥＦＬの定義に従ってＥＦＬを測定するように構成されている。
【０１０８】
一実施形態では、システム１００は、ＥＦＬの直接的な評価を提供するように構成される。一実施形態では、システム１００による検出は、手動の腹部圧迫の現在のプラクティスと同じ原理に基づくが、手動手順の変動性及び主観性を克服するように自動化される。
【０１０９】
一実施形態では、システム１００は、（肺活量測定とは対照的に）患者の協力を必要としない。一実施形態では、システム１００は、スクリーニングから、ＥＦＬの検出及び廃止による長期使用まで、様々なニーズに応じるように、様々な自動化レベルで設計されることが可能である。
【０１１０】
一実施形態では、図２に示す種々のコンピュータ及びサブシステムは、本明細書に記載の機能を実行するようにプログラムされた１つ以上のコンピューティング装置を含んでもよい。コンピューティング装置は、１つ以上の電子記憶装置（例えば、データベース１３２、又は他の電子記憶装置）、１つ以上のコンピュータ・プログラム命令でプログラムされた１つ以上の物理的なプロセッサ、及び／又は他の構成要素を含んでもよい。コンピューティング装置は、有線又は無線技術（例えば、イーサーネット（登録商標）、光ファイバ、同軸ケーブル、ＷｉＦｉ、ブルートゥース（登録商標）、近距離通信、又は他の通信技術）により、ネットワーク（例えば、ネットワーク１５０）又は他の計算プラットフォームとの情報の交換を可能にするための通信回線又はポートを含んでもよい。コンピューティング装置は、本明細書でサーバーに帰属される機能性を提供するために、一緒に動作する複数のハードウェア、ソフトウェア、及び／又はファームウェア構成要素を含むことができる。例えば、コンピューティング装置は、コンピューティング装置として一緒に動作するコンピューティング・プラットフォームのクラウドによって実装されてもよい。
【０１１１】
電子記憶装置は、情報を電子的に記憶する非一時意的な記憶媒体を含む可能性がある。電子記憶装置の電子記憶媒体は、例えば、サーバーと一体的に（例えば、実質的に取り外し不可能に）提供されるシステム記憶装置、又はポート（例えば、ＵＳＢポート、ファイヤワイヤ・ポートなど）又はドライブ（例えば、ディスク・ドライブなど）を介してサーバーに取り外し可能に接続可能であるリムーバブル記憶装置のうちの一方又は両方を含んでもよい。電子記憶装置は、光学的に読み取り可能な記憶媒体（例えば、光ディスクなど）、磁気的に読み取り可能な記憶媒体（例えば、磁気テープ、磁気ハード・ドライブ、フロッピー・ドライブなど）、電荷ベースの記憶媒体（例えば、ＥＥＰＲＯＭ、ＲＡＭなど）、ソリッドステート記憶媒体（例えば、フラッシュ・ドライブなど）、及び／又は他の電子的に読み取り可能な記憶媒体のうちの１つ以上を含んでもよい。電子記憶装置は、１つ以上の仮想記憶リソース（例えば、クラウド記憶装置、仮想プライベート・ネットワーク、及び／又は他の仮想記憶リソース）を含んでもよい。電子記憶装置は、ソフトウェア・アルゴリズム、プロセッサによって決定された情報、サーバーから受け取った情報、クライアント・コンピューティング・プラットフォームから受け取った情報、又はサーバーが本明細書に記載されるように機能することを可能にする他の情報を記憶することができる。
【０１１２】
プロセッサは、サーバー内の情報処理能力を提供するようにプログラムされてもよい。従って、プロセッサは、デジタル・プロセッサ、アナログ・プロセッサ、又は情報を処理するように設計されたデジタル回路、情報を処理するように設計されたアナログ回路、状態マシン、及び／又は情報を電子的に処理するための他の機構のうちの１つ以上を含んでもよい。一実施形態では、プロセッサは、複数の処理ユニットを含んでもよい。これらの処理ユニットは、同じ装置内に物理的に配置されてもよいし、又はプロセッサは、協調して動作する複数の装置の処理機能を表してもよい。プロセッサは、サブシステム１１２〜１２０又は他のサブシステムの本明細書に記載の機能を実行するためのコンピュータ・プログラム命令を実行するようにプログラムされてもよい。プロセッサは、ソフトウェア；ハードウェア；ファームウェア；ソフトウェア、ハードウェア、又はファームウェアの何らかの組み合わせ；及び／又はプロセッサ上の処理能力を構成するための他のメカニズムによって、コンピュータ・プログラム命令を実行するようにプログラムすることができる。
【０１１３】
特許請求の範囲において、括弧内に付された如何なる参照符号も、特許請求の範囲を限定するものとして解釈されないものとする。「有する」又は「含む」という言葉は、請求項に記載されているもの以外の要素又はステップの存在を除外していない。幾つかの手段を列挙する装置の請求項において、これらの手段のうちの幾つかは、１つの同じハードウェア・アイテムによって具体化されてもよい。要素に先行する「ある（“ａ”ｏｒ“ａｎ”）」という言葉は、これらの要素の複数個の存在を除外しない。幾つかの手段を列挙する如何なる装置請求項においても、これらの手段のうちの幾つかが、１つの同じハードウェア・アイテムによって具体化されてもよい。特定の複数の要素が相互に異なる従属請求項に記載されているという単なるその事実は、これらの要素が組み合わせて使用できないことを示すものではない。
【０１１４】
本特許出願は、現時点で最も実用的で好ましいと考えられる実施形態に基づいて、説明の目的で詳細に述べられてきたが、そのような詳細は、専らその目的のためのものであり、本特許出願は、開示された実施形態に限定されるものではなく、むしろ添付の特許請求の範囲の精神及び範囲内にある修正及び等価な構成をカバーするように意図されていることが理解されるべきである。例えば、本特許出願は、可能な範囲で、任意の実施形態の１つ以上の特徴は、任意の他の実施形態の１つ以上の特徴と組み合わせることができることを想定していることが理解されるべきである。
【図１】
2021508529.tif 000003
【図２】
2021508529.tif 000004
【図３】
2021508529.tif 000005
【図４】
2021508529.tif 000006
【図５】
2021508529.tif 000007
【図６】
2021508529.tif 000008
【図７】
2021508529.tif 000009
【図８】
2021508529.tif 000010
【手続補正書】
【提出日】令和2年7月1日(2020.7.1)
【手続補正１】
【補正対象書類名】特許請求の範囲
【補正対象項目名】全文
【補正方法】変更
【補正の内容】
【特許請求の範囲】
【請求項１】
患者の呼気流量制限（ＥＦＬ）を検出するシステムであって：
前記患者に吸気をもたらすように構成された吸気経路；
前記患者から呼気を取り出すように構成された呼気経路；
前記呼気経路を通る前記呼気の流量−容積情報を測定するセンサー；
前記呼気経路に配置され、前記呼気経路における呼気抵抗を提供するように調整可能であるように構成された流量抵抗器；及び
前記センサー及び前記流量抵抗器に動作可能に接続される１つ以上の物理的なプロセッサを有するコンピュータ・システム；
を有し、前記１つ以上の物理的なプロセッサは、コンピュータ・プログラム命令によりプログラムされており、命令は実行されると：  
基準呼気抵抗が前記呼気経路において前記流量抵抗器により提供されている場合に、前記呼気経路を通る前記呼気の流量−容積情報を利用して、基準呼気流量−容積曲線を決定するステップ；
前記呼気抵抗を前記基準呼気抵抗よりも下げるように、前記流量抵抗器を調整するステップ；
下げられた前記呼気抵抗が前記呼気経路において前記流量抵抗器により提供されている場合に、前記呼気経路を通る前記呼気の流量−容積情報を利用して、摂動した呼気流量−容積曲線を決定するステップ；及び
（ｉ）前記決定された摂動した呼気流量−容積曲線及び（ｉｉ）決定された基準呼気流量−容積曲線に基づいて、前記患者の前記呼気流量制限（ＥＦＬ）を検出するステップ；
を前記コンピュータ・システムに行わせる、システム。
【請求項２】
前記コンピュータ・システムは、前記決定された摂動した呼気流量−容積曲線を、前記決定された基準呼気流量−容積曲線と比較することにより、前記患者の前記呼気流量制限（ＥＦＬ）を検出する、請求項１に記載のシステム。
【請求項３】
前記基準呼気流量−容積曲線は、１つ以上の基準呼吸の間に前記呼気経路を通る前記呼気の前記流量−容積情報を利用して決定され、前記１つ以上の基準呼吸では、前記基準呼気抵抗が前記呼気経路において前記流量抵抗器により提供されており、
前記摂動した呼気流量−容積曲線は、摂動呼吸の前記呼気経路を通る前記呼気の前記流量−容積情報を利用して決定され、前記摂動呼吸では、下げられた前記呼気抵抗が前記呼気経路において前記流量抵抗器により提供されており、及び
前記１つ以上の基準呼吸は前記摂動呼吸に先行している、請求項２に記載のシステム。
【請求項４】
前記コンピュータ・システムは、前記ＥＦＬを廃止するために、前記ＥＦＬの検出時に呼気気道圧を自動的に増加又は減少させる、請求項１に記載のシステム。
【請求項５】
前記比較することは、前記１つ以上の基準呼吸に対する呼気流量−容積曲線を、前記１つ以上の摂動呼吸に対する呼気流量−容積曲線と比較することを含む、請求項３に記載のシステム。
【請求項６】
患者の呼気流量制限（ＥＦＬ）を検出する方法あって、コンピュータ・プログラム命令を実行する１つ以上の物理的なプロセッサを有するコンピュータ・システムにより実行され、前記方法は：
呼気経路を通る呼気の流量−容積情報を、１つ以上のセンサーから取得するステップ；
基準呼気抵抗が前記呼気経路において流量抵抗器により提供されている場合に、前記呼気経路を通る前記呼気の流量−容積情報を利用して、基準呼気流量−容積曲線を、前記コンピュータ・システムにより決定するステップ；
前記呼気抵抗を前記基準呼気抵抗よりも下げるように、前記流量抵抗器を調整するステップ；
下げられた前記呼気抵抗が前記呼気経路において前記流量抵抗器により提供されている場合に、前記呼気経路を通る前記呼気の流量−容積情報を利用して、摂動した呼気流量−容積曲線を、前記コンピュータ・システムにより決定するステップ；及び
（ｉ）前記決定された摂動した呼気流量−容積曲線及び（ｉｉ）決定された基準呼気流量−容積曲線に基づいて、前記患者の前記呼気流量制限（ＥＦＬ）を、前記コンピュータ・システムにより検出するステップ；
を有する方法。
【請求項７】
前記患者の前記呼気流量制限（ＥＦＬ）を検出するステップは、前記決定された摂動した呼気流量−容積曲線を、前記決定された基準呼気流量−容積曲線と比較するステップを含む、請求項６に記載の方法。
【請求項８】
前記基準呼気流量−容積曲線は、１つ以上の基準呼吸の間に前記呼気経路を通る前記呼気の前記流量−容積情報を利用して決定され、前記１つ以上の基準呼吸では、前記基準呼気抵抗が前記呼気経路において前記流量抵抗器により提供されており、
前記摂動した呼気流量−容積曲線は、摂動呼吸の前記呼気経路を通る前記呼気の前記流量−容積情報を利用して決定され、前記摂動呼吸では、下げられた前記呼気抵抗が前記呼気経路において前記流量抵抗器により提供されており、及び
前記１つ以上の基準呼吸は前記摂動呼吸に先行している、請求項７に記載の方法。
【請求項９】
前記コンピュータ・システムは、前記ＥＦＬを廃止するために、前記ＥＦＬの検出時に呼気気道圧を自動的に増加又は減少させる、請求項６に記載の方法。
【請求項１０】
前記比較することは、前記１つ以上の基準呼吸に対する呼気流量−容積曲線を、前記１つ以上の摂動呼吸に対する呼気流量−容積曲線と比較することを含む、請求項７に記載の方法。
【請求項１１】
患者の呼気流量制限（ＥＦＬ）を検出するシステムであって：
機械読み取り可能な命令を少なくとも１つの物理的なプロセッサで実行する手段を有し、前記機械読み取り可能な命令は：
呼気経路を通る呼気の流量−容積情報を、１つ以上のセンサーから取得するステップ；
基準呼気抵抗が前記呼気経路において流量抵抗器により提供されている場合に、前記呼気経路を通る前記呼気の流量−容積情報を利用して、基準呼気流量−容積曲線を決定するステップ；
前記呼気抵抗を前記基準呼気抵抗よりも下げるように、前記流量抵抗器を調整するステップ；
下げられた前記呼気抵抗が前記呼気経路において前記流量抵抗器により提供されている場合に、前記呼気経路を通る前記呼気の流量−容積情報を利用して、摂動した呼気流量−容積曲線を決定するステップ；及び
（ｉ）前記決定された摂動した呼気流量−容積曲線及び（ｉｉ）決定された基準呼気流量−容積曲線に基づいて、前記患者の前記呼気流量制限（ＥＦＬ）を検出するステップ；
を有する、システム。
【請求項１２】
前記患者の前記呼気流量制限（ＥＦＬ）を検出するステップは、前記決定された摂動した呼気流量−容積曲線を、前記決定された基準呼気流量−容積曲線と比較するステップを含む、請求項１１に記載のシステム。
【請求項１３】
前記基準呼気流量−容積曲線は、１つ以上の基準呼吸の間に前記呼気経路を通る前記呼気の前記流量−容積情報を利用して決定され、前記１つ以上の基準呼吸では、前記基準呼気抵抗が前記呼気経路において前記流量抵抗器により提供されており、
前記摂動した呼気流量−容積曲線は、摂動呼吸の前記呼気経路を通る前記呼気の前記流量−容積情報を利用して決定され、前記摂動呼吸では、下げられた前記呼気抵抗が前記呼気経路において前記流量抵抗器により提供されており、及び
前記１つ以上の基準呼吸は前記摂動呼吸に先行している、請求項１２に記載のシステム。
【請求項１４】
前記機械読み取り可能な命令は、前記ＥＦＬを廃止するために、前記ＥＦＬの検出時に呼気気道圧を自動的に増加又は減少させるステップを更に含む、請求項１１に記載のシステム。
【請求項１５】
前記比較するステップは、前記１つ以上の基準呼吸に対する呼気流量−容積曲線を、１つ以上の摂動呼吸に対する呼気流量−容積曲線と比較するステップを含む、請求項１３に記載のシステム。
【国際調査報告】
2021508529.tif 000011
2021508529.tif 000012
2021508529.tif 000013